(57)【特許請求の範囲】
【請求項１】
電源線上に接続されるスイッチとその後段の電源線間に接続される還流ダイオードとその後段の電源線上に接続されるリアクトルとを含んで構成されるチョッパ回路と、前記チョッパ回路のスイッチのオンオフ動作を制御して出力調整を行う制御回路とを備える電源装置であって、
前記チョッパ回路のスイッチは、直列接続の第１及び第２スイッチにて構成され、
前記制御回路は、
前記第１及び第２スイッチに出力する制御パルス信号の少なくとも一方側のオンパルス幅の調整により出力調整を行うパルス幅変調制御手段と、
前記第１及び第２スイッチに出力する制御パルス信号の相互の位相差の調整により出力調整を行う位相シフト制御手段と、
高出力要求時には前記パルス幅変調制御手段とし、低出力要求時には前記位相シフト制御手段に切り替える制御切替手段と
を備えたことを特徴とする電源装置。
【請求項２】
請求項１に記載の電源装置において、
前記パルス幅変調制御手段は、前記第１及び第２スイッチの一方側をオン固定、他方側をオンオフ動作させる制御パルス信号をそれぞれ生成するように構成されていることを特徴とする電源装置。
【請求項３】
請求項１又は２に記載の電源装置において、
前記位相シフト制御手段は、前記第１及び第２スイッチに出力する制御パルス信号のオンパルス幅を中間幅に固定すると共に、相互間に位相差が設定された制御パルス信号を生成するように構成されていることを特徴とする電源装置。
【請求項４】
請求項１〜３の何れか１項に記載の電源装置において、
前記チョッパ回路は、還流ダイオードが第１及び第２還流ダイオードにて構成されるものであり、後段側に位置する前記第２スイッチの後段の電源線間に第１還流ダイオードが接続され、前段側に位置する前記第１スイッチの後段の電源線間に第２還流ダイオードが接続され、
前記位相シフト制御手段は、前記第１スイッチよりも前記第２スイッチの方が相対的に遅れてオフするような位相差となる制御パルス信号を生成するように構成されていることを特徴とする電源装置。
【請求項５】
請求項１〜４の何れか１項に記載の電源装置を備え、溶接負荷に対する出力生成を行うように構成されていることを特徴とする溶接用電源装置。
【発明の詳細な説明】
【技術分野】
【０００１】
本発明は、電源装置及び溶接用電源装置に関する。
【背景技術】
【０００２】
溶接用電源装置等の電源装置において、出力調整を行う主回路にチョッパ回路が用いられるものがある。チョッパ回路の回路構成としては、例えば特許文献１に示されるようなものが一般に知られている。因みに、特許文献１に開示のものは、照明装置の主回路として組み込まれている。チョッパ回路は、一方側の電源線上に接続されるチョッパ動作用のスイッチと、該スイッチの後段の電源線間に接続される還流ダイオードと、該ダイオードの後段の一方側の電源線上に接続されるリアクトルとを備え、スイッチのオンオフ動作にて出力調整がなされる。
【先行技術文献】
【特許文献】
【０００３】
【特許文献１】特開２０１２−２２２３２２号公報（第２図参照）
【発明の概要】
【発明が解決しようとする課題】
【０００４】
ところで、電源装置（チョッパ回路）の出力制御としてスイッチのＰＷＭ制御（パルス幅変調制御）を用いる場合、出力を大きくするにはスイッチのオン期間を長くする必要があるため、スイッチを制御する制御パルス信号のオンパルス幅は幅広に設定される。一方、出力を小さくするにはスイッチのオン期間を短くする必要があるため、その制御パルス信号のオンパルス幅は幅狭に設定される。
【０００５】
しかしながら、制御パルス信号のオンパルス幅が極めて幅狭に設定されるような極低出力調整を行うような場合になると、オンパルスの消失やスイッチ自体のオン動作が正常に行われない状況となることも考えられる。このことは、電源装置（チョッパ回路）の出力を安定化させるための妨げとなる。
【０００６】
本発明は、上記課題を解決するためになされたものであって、その目的は、低出力調整時においても安定した出力を得ることができる電源装置及び溶接用電源装置を提供することにある。
【課題を解決するための手段】
【０００７】
上記課題を解決する電源装置は、電源線上に接続されるスイッチとその後段の電源線間に接続される還流ダイオードとその後段の電源線上に接続されるリアクトルとを含んで構成されるチョッパ回路と、前記チョッパ回路のスイッチのオンオフ動作を制御して出力調整を行う制御回路とを備える電源装置であって、前記チョッパ回路のスイッチは、直列接続の第１及び第２スイッチにて構成され、前記制御回路は、前記第１及び第２スイッチに出力する制御パルス信号の少なくとも一方側のオンパルス幅の調整により出力調整を行うパルス幅変調制御手段と、前記第１及び第２スイッチに出力する制御パルス信号の相互の位相差の調整により出力調整を行う位相シフト制御手段と、高出力要求時には前記パルス幅変調制御手段とし、低出力要求時には前記位相シフト制御手段に切り替える制御切替手段とを備える。
【０００８】
この構成によれば、チョッパ回路のスイッチとして直列接続される第１及び第２スイッチに対し、高出力要求時には、第１及び第２スイッチに出力する制御パルス信号の少なくとも一方側のオンパルス幅の調整により出力調整を行うパルス幅変調制御（ＰＷＭ制御）が行われる。これに対し、低出力要求時には、第１及び第２スイッチに出力する制御パルス信号の相互の位相差の調整により出力調整を行う位相シフト制御（ＰＳＭ制御）に制御が切り替わる。つまり、ＰＷＭ制御において低出力要求になる程、制御パルス信号のオンパルス幅が幅狭に設定されてチョッパ回路のスイッチが正常にオンできなくなる状況に近づくため、所定低出力要求になると制御パルス信号のオンパルス幅が十分確保可能なＰＳＭ制御に切り替わる。これにより、チョッパ回路のスイッチのオンオフ動作がより確実に行われるようになるため、電源装置の出力安定化に繋がる。
【０００９】
また、上記の電源装置において、前記パルス幅変調制御手段は、前記第１及び第２スイッチの一方側をオン固定、他方側をオンオフ動作させる制御パルス信号をそれぞれ生成するように構成されることが好ましい。
【００１０】
この構成によれば、パルス幅変調制御（ＰＷＭ制御）においては、チョッパ回路の第１及び第２スイッチの一方側がオン固定とされ、他方側がオンオフ動作される。つまり、他方側のスイッチの動作のみを考慮すればよく、制御の簡素化を図ることが可能となる。
【００１１】
また、上記の電源装置において、前記位相シフト制御手段は、前記第１及び第２スイッチに出力する制御パルス信号のオンパルス幅を中間幅に固定すると共に、相互間に位相差が設定された制御パルス信号を生成するように構成されることが好ましい。
【００１２】
この構成によれば、位相シフト制御（ＰＳＭ制御）においては、チョッパ回路の第１及び第２スイッチに出力する制御パルス信号のオンパルス幅が中間幅に固定された状態で、相互間の位相差が設定される。つまり、第１及び第２スイッチの個々のオン期間を十分に確保でき、スイッチのオンオフ動作がより確実に行われるようになる。
【００１３】
また、上記の電源装置において、前記チョッパ回路は、還流ダイオードが第１及び第２還流ダイオードにて構成されるものであり、後段側に位置する前記第２スイッチの後段の電源線間に第１還流ダイオードが接続され、前段側に位置する前記第１スイッチの後段の電源線間に第２還流ダイオードが接続され、前記位相シフト制御手段は、前記第１スイッチよりも前記第２スイッチの方が相対的に遅れてオフするような位相差となる制御パルス信号を生成するように構成されることが好ましい。
【００１４】
この構成によれば、チョッパ回路は、後段側に位置する第２スイッチの後段の電源線間に第１還流ダイオードが接続され、前段側に位置する第１スイッチの後段の電源線間に第２還流ダイオードが接続されてなる。そして、位相シフト制御（ＰＳＭ制御）においては、第１スイッチよりも第２スイッチの方が相対的に遅れてオフ動作する。つまり、第１スイッチがオフすることでリアクトルによる還流電流が生じるが、先ず第１スイッチがオフしてから第２スイッチがオフするまでの期間は、各還流ダイオード上を経路とする電流が分岐して生じ、次いで第２スイッチがオフしてから次にオンするまでの期間は、分岐していた電流が第２還流ダイオード上を経路とする電流に集約される。これにより、リアクトルによる還流電流が最も大きい立ち上がり時を含む前半期間で各還流ダイオード上を分岐して流れ、また後半の期間では第２還流ダイオード側に集約されるものの立ち上がり時よりも電流値が小さくなるため、個々の還流ダイオードの電流にかかる負担は軽減される。また、第２スイッチがオンする際の逆回復電流も各還流ダイオードに分岐するため、このことでも各還流ダイオードの電流にかかる負担は軽減される。
【００１５】
また、上記課題を解決する溶接用電源装置は、上記の電源装置を備え、溶接負荷に対する出力生成を行うように構成される。
この構成によれば、溶接用電源装置では出力要求が大きく変化するため、パルス幅変調制御（ＰＷＭ制御）と位相シフト制御（ＰＳＭ制御）とを切り替えて出力要求に広く対応可能な構成とする意義は大きい。
【発明の効果】
【００１６】
本発明の電源装置及び溶接用電源装置によれば、低出力調整時においても安定した出力を得ることができる。
【図面の簡単な説明】
【００１７】
【図１】第１実施形態における電源装置（溶接用電源装置）の構成図である。
【図２】（ａ）（ｂ）はＰＷＭ制御時のスイッチ動作（制御パルス信号の変化）及び各所電流値の変化を示す波形図、（ｃ）はＰＳＭ制御時のスイッチ動作（制御パルス信号の変化）及び各所電流値の変化を示す波形図である。
【図３】第２実施形態における電源装置（溶接用電源装置）の構成図である。
【図４】（ａ）（ｂ）はＰＷＭ制御時のスイッチ動作（制御パルス信号の変化）及び各所電流値の変化を示す波形図、（ｃ）はＰＳＭ制御時のスイッチ動作（制御パルス信号の変化）及び各所電流値の変化を示す波形図である。
【発明を実施するための形態】
【００１８】
（第１実施形態）
以下、溶接用電源装置（電源装置）の第１実施形態について説明する。
図１に示すように、プラズマアーク溶接機等に用いられる本実施形態の溶接用電源装置１０は、主回路としてチョッパ回路１１を備え、溶接負荷１２に対して適切な出力電力を生成すべくそのチョッパ動作の制御が行われる。チョッパ回路１１は、本実施形態では降圧型チョッパ回路にて構成され、第１及び第２スイッチＴＲ１，ＴＲ２、還流ダイオードＤＲ１、リアクトルＬ１、平滑コンデンサＣ１，Ｃ２を備える。
【００１９】
即ち、チョッパ回路１１の一対の電源線Ｌａ，Ｌｂに対し、先ずその電源線Ｌａ，Ｌｂ間に平滑コンデンサＣ１が接続されている。平滑コンデンサＣ１の後段の電源線Ｌａ上には、ＩＧＢＴ等の半導体スイッチよりなる第１及び第２スイッチＴＲ１，ＴＲ２が直列に接続されている。第２スイッチＴＲ２の後段の電源線Ｌａ，Ｌｂ間には還流ダイオードＤＲ１が接続、この場合アノード側が電源線Ｌｂに、カソード側が電源線Ｌａにそれぞれ接続されている。還流ダイオードＤＲ１の後段の電源線Ｌｂ上には、リアクトルＬ１が接続されている。リアクトルＬ１の後段の電源線Ｌａ，Ｌｂ間には、平滑コンデンサＣ２が接続されている。
【００２０】
また、電源装置１０には、出力電流（溶接電流）を検出するための電流センサ１３が備えられている。電流センサ１３からの検出信号は制御回路１４に入力され、制御回路１４はその検出信号に基づいて電源装置１０の出力電流を認識する。制御回路１４は、電源装置１０の出力電流に基づいて、チョッパ回路１１の第１及び第２スイッチＴＲ１，ＴＲ２の制御端子（ゲート端子）に出力する制御パルス信号を生成する。つまり、制御回路１４は、制御パルス信号による各スイッチＴＲ１，ＴＲ２のオンオフ動作（チョッパ動作）の制御を行い、電源装置１０の出力電流制御を行う。
【００２１】
また、制御回路１４は、各スイッチＴＲ１，ＴＲ２のオンオフ制御において、出力状況に応じてＰＷＭ制御（パルス幅変調制御）とＰＳＭ制御（位相シフト制御）とを制御切替部１４ａにて切り替えるようにしている。また、制御回路１４は、パルス幅算出部１４ｂ及び位相差算出部１４ｃを備えている。パルス幅算出部１４ｂは、ＰＷＭ制御において各スイッチＴＲ１，ＴＲ２に出力する制御パルス信号のオンパルス幅をその時々の出力電流に基づいて算出する。位相差算出部１４ｃは、ＰＳＭ制御において各スイッチＴＲ１，ＴＲ２に出力する制御パルス信号の位相差をその時々の出力電流に基づいて算出する。
【００２２】
次に、電源装置１０の動作（制御回路１４の制御態様）について、図２の波形図を用いて説明する。尚、図２の「ＴＲ１」「ＴＲ２」の波形はスイッチＴＲ１，ＴＲ２への制御パルス信号の変化、即ちスイッチＴＲ１，ＴＲ２のオンオフ動作を示している。「Ｉｉ」の波形はスイッチＴＲ１，ＴＲ２上を流れる電流の変化、「Ｉｄ」の波形は還流ダイオードＤＲ１上を流れる電流の変化、「Ｉｏ」の波形は出力電流の変化を示している。
【００２３】
［ＰＷＭ制御（パルス幅変調制御）］
図２（ａ）は、ＰＷＭ制御の実施範囲で高出力動作を行っている場合の波形変化が示され、図２（ｂ）は、同範囲で低出力動作を行っている場合の波形変化が示されている。
【００２４】
ＰＷＭ制御の実施範囲においては、先ず、第１スイッチＴＲ１は常時オン（制御パルス信号のデューティが１００％）に設定されている。一方、第２スイッチＴＲ２は、電流センサ１３を通じて検出した出力電流値に基づきパルス幅算出部１４ｂにて算出されるオンパルス幅α（デューティ）に設定された制御パルス信号にてオンオフ動作する。因みに、図２（ａ）に示すオンパルス幅αがデューティ最大時のものであり、図２（ｂ）に示すオンパルス幅αがデューティ最小時のものである。
【００２５】
そして、第２スイッチＴＲ２のオン期間は電源側から後段への電流伝達期間となるため、第２スイッチＴＲ２のオン期間が長いと、出力電流Ｉｏの内でスイッチＴＲ１，ＴＲ２上を流れる電流Ｉｉの期間が還流ダイオードＤＲ１上を流れる電流Ｉｄの期間よりも長くなって、出力電流Ｉｏは増大する。反対に、第２スイッチＴＲ２のオン期間が短いと、出力電流Ｉｏの内でスイッチＴＲ１，ＴＲ２上を流れる電流Ｉｉの期間が還流ダイオードＤＲ１上を流れる電流Ｉｄの期間よりも短くなって、出力電流Ｉｏは減少する。
【００２６】
ここで仮に、図２（ｂ）に示すデューティ最小時のオンパルス幅αよりも幅狭に設定する構成とした場合、第２スイッチＴＲ２が正常にオンできない状況となることも考えられる。第２スイッチＴＲ２が正常にオンできないと、出力電流Ｉｏのリップルが大きくなってしまう。
【００２７】
これを踏まえ、制御回路１４の制御切替部１４ａは、図２（ｂ）に示すデューティ最小時のオンパルス幅αよりも幅狭に設定し得るような極低出力要求時には、スイッチＴＲ１，ＴＲ２の制御をＰＷＭ制御からＰＳＭ制御に切り替える。この場合、例えば出力電流の目標値やパルス幅算出部１４ｂにて算出したオンパルス幅α等に基づき、制御の切り替えが行われる。
【００２８】
［ＰＳＭ制御（位相シフト制御）］
図２（ｃ）は、極低出力要求によりＰＳＭ制御を行っている場合の波形変化が含まれている。
【００２９】
ＰＳＭ制御の実施範囲においては、先ず、スイッチＴＲ１，ＴＲ２に出力する制御パルス信号のオンパルス幅は中間幅（例えばデューティが５０％）に固定される。そして、このオンパルス幅が固定された制御パルス信号の位相差βが位相差算出部１４ｃにて算出される。位相差算出部１４ｃは、例えば出力電流の目標値やパルス幅算出部１４ｂにて算出したオンパルス幅αに基づいて位相差βの算出を行う。またこの場合、第２スイッチＴＲ２に出力する制御パルス信号を基準相とし、第１スイッチＴＲ１に出力する制御パルス信号が位相差βだけ進められる。
【００３０】
そして、第１及び第２スイッチＴＲ１，ＴＲ２が共にオンする期間は電源側から後段への電流伝達期間となるため、位相差βが大きくスイッチＴＲ１，ＴＲ２の同時オン期間が短くなる程、出力電流Ｉｏの内でスイッチＴＲ１，ＴＲ２上を流れる電流Ｉｉの期間が還流ダイオードＤＲ１上を流れる電流Ｉｄの期間よりも短くなって、出力電流Ｉｏはより減少していく。
【００３１】
つまり、このような極低出力調整を行うような場合であっても、個々のスイッチＴＲ１，ＴＲ２の制御パルス信号のオンパルス幅は中間幅に設定されていることから、個々のスイッチＴＲ１，ＴＲ２としては十分にオン可能である。そのため、出力電流Ｉｏにリップルが生じることが抑制され、溶接用電源装置１０において安定した出力が得られるようになる。
【００３２】
次に、本実施形態の特徴的な効果を記載する。
（１）チョッパ回路１１のスイッチとして直列接続される第１及び第２スイッチＴＲ１，ＴＲ２に対し、高出力要求時には、第１及び第２スイッチＴＲ１，ＴＲ２に出力する制御パルス信号の第２スイッチＴＲ２側のオンパルス幅αの調整により出力調整を行うパルス幅変調制御（ＰＷＭ制御）が行われる。これに対し、低出力要求時には、第１及び第２スイッチＴＲ１，ＴＲ２に出力する制御パルス信号の相互の位相差βの調整により出力調整を行う位相シフト制御（ＰＳＭ制御）に制御が切り替わる。つまり、ＰＷＭ制御において低出力要求になる程、制御パルス信号のオンパルス幅αが幅狭に設定されてチョッパ回路１１のスイッチＴＲ１，ＴＲ２が正常にオンできなくなる状況に近づくため、所定低出力要求になると制御パルス信号のオンパルス幅αが十分確保可能なＰＳＭ制御に切り替わる。これにより、チョッパ回路１１のスイッチＴＲ１，ＴＲ２のオンオフ動作がより確実に行われるようになるため、電源装置１０の出力安定化を図ることができる。
【００３３】
また、本実施形態のような溶接用電源装置１０においては出力要求が大きく変化するため、ＰＷＭ制御とＰＳＭ制御とを切り替えて出力要求に広く対応可能な構成とする意義は大きい。
【００３４】
（２）ＰＷＭ制御においては、チョッパ回路１１の第１スイッチＴＲ１側がオン固定とされ、第２スイッチＴＲ２側がオンオフ動作される。つまり、第２スイッチＴＲ２側のスイッチの動作のみを考慮すればよく、制御の簡素化を図ることができる。
【００３５】
（３）ＰＳＭ制御においては、チョッパ回路１１の第１及び第２スイッチＴＲ１，ＴＲ２に出力する制御パルス信号のオンパルス幅を中間幅に固定した状態で、相互間の位相差βが設定される。つまり、第１及び第２スイッチＴＲ１，ＴＲ２の個々のオン期間を十分に確保でき、スイッチＴＲ１，ＴＲ２のオンオフ動作をより確実に行うことができる。
【００３６】
（第２実施形態）
以下、溶接用電源装置（電源装置）の第２実施形態について説明する。
図３に示すように、本実施形態の溶接用電源装置１０ａの主回路として備えるチョッパ回路１１ａは、上記第１実施形態のチョッパ回路１１に還流ダイオードＤＲ２が付加されて構成されている。即ち、第２スイッチＴＲ２の後段の電源線Ｌａ，Ｌｂ間に接続される還流ダイオードＤＲ１（第１還流ダイオード）と並列となるように、第１スイッチＴＲ１の後段の電源線Ｌａ，Ｌｂ間に第２還流ダイオードＤＲ２が接続、この場合アノード側が電源線Ｌｂに、カソード側が電源線Ｌａにそれぞれ接続されている。
【００３７】
制御回路１４は、制御切替部１４ａ、パルス幅算出部１４ｂ及び位相差算出部１４ｃを備え、上記第１実施形態と同様に出力要求の大小に応じてＰＷＭ制御（パルス幅変調制御）及びＰＳＭ制御（位相シフト制御）の切り替えを行いつつ、制御対象の第１及び第２スイッチＴＲ１，ＴＲ２のオンオフ動作を制御する。本実施形態の電源装置１０ａの動作（制御回路１４の制御態様）については、図４（ａ）〜（ｃ）の波形図の通りである。尚、図４の「Ｉｄ１」「Ｉｄ２」の波形は第１及び第２還流ダイオードＤＲ１，ＤＲ２上を流れる電流の変化を示している。
【００３８】
因みに、図４（ａ）（ｂ）のＰＷＭ制御時においては、新たに付加した第２還流ダイオードＤＲ２上を経路とする電流Ｉｄ２以外は上記第１実施形態と同様であり、またこの第２還流ダイオードＤＲ２上を経路とする電流Ｉｄ２は常時ゼロである（このＰＷＭ制御期間中は常時流れない）。
【００３９】
図４（ｃ）のＰＳＭ制御時においては、第１スイッチＴＲ１がオフしてから第２スイッチＴＲ２がオンするまでの期間、還流ダイオードＤＲ１，ＤＲ２上に電流Ｉｄ１，Ｉｄ２が生じる。その際、先ず第１スイッチＴＲ１がオフしてから第２スイッチＴＲ２がオフするまでの期間は、各還流ダイオードＤＲ１，ＤＲ２上を経路とする電流Ｉｄ１，Ｉｄ２が分岐して生じ、次いで第２スイッチＴＲ２がオフしてから次にオンするまでの期間は、分岐していた電流Ｉｄ１，Ｉｄ２が第２還流ダイオードＤＲ２上を経路とする電流Ｉｄ２に集約される。
【００４０】
つまり、リアクトルＬ１による還流電流が最も大きい立ち上がり時を含む前半期間で各還流ダイオードＤＲ１，ＤＲ２上を分岐して流れ、また後半の期間では第２還流ダイオードＤＲ２側に集約されるものの立ち上がり時よりも電流値が小さくなるため、個々の還流ダイオードＤＲ１，ＤＲ２の電流にかかる負担は軽減される。また、第２スイッチＴＲ２がオンする際の逆回復電流も各還流ダイオードＤＲ１，ＤＲ２に分岐するため、このことでも各還流ダイオードＤＲ１，ＤＲ２の電流にかかる負担は軽減される。
【００４１】
次に、本実施形態の特徴的な効果を記載する。
（１）〜（３）上記第１実施形態と同様の効果を得ることができる。
（４）リアクトルＬ１による還流電流が最も大きい期間で各還流ダイオードＤＲ１，ＤＲ２上を分岐して流れ、また第２還流ダイオードＤＲ２側への電流集約時にはその電流値が小さくなっていることから、個々の還流ダイオードＤＲ１，ＤＲ２の電流にかかる負担を軽減することができる。また、第２スイッチＴＲ２がオンする際の逆回復電流も各還流ダイオードＤＲ１，ＤＲ２に分岐することから、このことでも各還流ダイオードＤＲ１，ＤＲ２の電流にかかる負担を軽減することができる。従って、還流ダイオードＤＲ１，ＤＲ２の小容量化、低発熱化、長寿命化等が期待できる。
【００４２】
尚、上記実施形態は、以下のように変更してもよい。
・ＰＷＭ制御時において、第１スイッチＴＲ１側をオン固定、第２スイッチＴＲ２側をオンオフ動作としたが、逆に第１スイッチＴＲ１側をオンオフ動作、第２スイッチＴＲ２側をオン固定としてもよい。また、第１及び第２スイッチＴＲ１，ＴＲ２の両者をオンオフ動作させてもよい。
【００４３】
・ＰＳＭ制御時において、スイッチＴＲ１，ＴＲ２に出力する制御パルス信号のオンパルス幅を中間幅（例えばデューティ５０％）に固定としたが、スイッチＴＲ１，ＴＲ２が正常にオンできる範囲であればオンパルス幅を適宜変更してもよい。
【００４４】
また、同じくＰＳＭ制御時において、第１スイッチＴＲ１に出力する制御パルス信号の位相を第２スイッチＴＲ２に出力する制御パルス信号（基準相）よりも位相差βだけ進めたが、第１スイッチＴＲ１に出力する制御パルス信号（基準相）よりも第２スイッチＴＲ２に出力する制御パルス信号の位相を遅らせてもよい。この場合も、第１スイッチＴＲ１のオン後に第２スイッチＴＲ２が遅れてオンし、第１スイッチＴＲ１のオフ後に第２スイッチＴＲ２が遅れてオフする。また、第１実施形態の回路構成では、第１及び第２スイッチＴＲ１，ＴＲ２のオンオフタイミングの前後関係を逆にしてもよい。
【００４５】
・図１及び図３に示すチョッパ回路１１，１１ａの回路構成は一例であり、適宜変更してもよい。
・溶接用電源装置１０，１０ａに適用したが、その他の電源装置に適用してもよい。
【符号の説明】
【００４６】
１０，１０ａ  溶接用電源装置（電源装置）
１１，１１ａ  チョッパ回路
１２        溶接負荷
１４        制御回路（制御切替手段、パルス幅変調制御手段、位相シフト制御手段）
１４ａ      制御切替部（制御切替手段）
１４ｂ      パルス幅算出部（パルス幅変調制御手段）
１４ｃ      位相差算出部（位相シフト制御手段）
ＴＲ１      第１スイッチ（スイッチ）
ＴＲ２      第２スイッチ（スイッチ）
ＤＲ１      第１還流ダイオード（還流ダイオード）
ＤＲ２      第２還流ダイオード
Ｌ１        リアクトル
Ｌａ，Ｌｂ  電源線
α          オンパルス幅
β          位相差
【図１】
0006407799.tif 000002
【図２】
0006407799.tif 000003
【図３】
0006407799.tif 000004
【図４】
0006407799.tif 000005